【手続補正書】
【提出日】平成28年6月16日(2016.6.16)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）が、前記ＵＥ中にある少なくとも１つの非無線周波数（非ＲＦ）センサーからの入力に基づいてＵＥ環境ステータス情報を決定することと、ここで、前記少なくとも１つの非ＲＦセンサーは、情報を確認することが可能であり、基地局との無線通信のために使用される前記受信機とは別個であり、環境ステータス情報は、
車内ステータス、
屋外ステータス、
屋内ステータス、
移動中ステータス、
仕事場ステータス、
自宅ステータス、
データトラフィックの量、および
前記ＵＥのディスプレイスクリーンがオンであるのかオフであるのか、前記ＵＥがホルスター中にあるのか、アクティブに使用されているのか、ポケットの中にあるのか、充電器に接続されているのかを示すＵＥ状態
のうちの１つまたは複数を備え、
前記ＵＥ環境ステータス情報を備える制御メッセージを生成することと、
前記ＵＥと通信している前記基地局に前記制御メッセージを送信することと
を備える、ワイヤレス通信の方法。
【請求項２】
前記制御メッセージは、前記制御メッセージ中の前記ＵＥ環境ステータス情報に少なくとも部分的に基づいて、前記ＵＥと、関連するワイヤレスネットワークとの間の接続を管理することに関係し、前記方法は、前記接続が前記ＵＥ環境ステータス情報の少なくとも一部に基づいて管理されるとき、前記関連するワイヤレスネットワークとの前記接続を維持することをさらに備え、前記方法は、
前記基地局から、前記基地局との接続を維持しながら第２の基地局にデータトラフィックをオフロードするための命令を受信すること、
前記基地局から、前記ＵＥのためのページングエリアを定義するページングエリアパラメータを受信すること、
前記基地局から、登録タイミングを受信すること、ここで、前記登録タイミングは、前記ＵＥが前記関連するワイヤレスネットワークに登録する頻度を定義する、および
前記基地局から、間欠受信のためのパラメータを受信すること、
のうちの１つをさらに備える、請求項１に記載の方法。
【請求項３】
前記制御メッセージは無線リソース制御（ＲＲＣ）メッセージを備える、請求項１に記載の方法。
【請求項４】
前記制御メッセージは、前記ＲＲＣメッセージ中にカプセル化された非アクセス層（ＮＡＳ）メッセージを備え、前記ＮＡＳメッセージは、前記ワイヤレス通信ネットワークのネットワークエンティティを対象とするサービス要求、アタッチ、トラッキングエリア更新、ルーティングエリア更新、ロケーションエリア更新のうちの１つを備え、
前記ネットワークエンティティは、
モビリティ管理エンティティ（ＭＭＥ）、および
サービング汎用パケット無線サービス（ＧＰＲＳ）サービスノード（ＳＧＳＮ）
のうちの１つを備える、請求項３に記載の方法。
【請求項５】
前記ＵＥ環境ステータス情報は前記ＵＥのモビリティレベルに関係する、請求項１に記載の方法。
【請求項６】
前記少なくとも１つの非ＲＦセンサーは、
加速度計、
ジャイロスコープ、
全地球測位システム（ＧＰＳ）受信機、
温度計、
カメラ、
マイクロフォン、
高度計、
心拍数モニタ、
湿度検出器、
光検出器、
充電インジケータ、および
気圧計
を備えるグループから選択される、請求項１に記載の方法。
【請求項７】
前記送信することは、
前記ＵＥ環境ステータス情報に関連するタイマーの満了、
前記ＵＥによる前記基地局への接続確立、および
前記ＵＥ環境ステータス情報の変化を検出すること
のうちの１つまたは複数に応答して実行される、請求項１に記載の方法。
【請求項８】
前記変化は、前の制御メッセージを送信してから所定の時間期間内に検出されたとき、前記送信することを遅延させること、
をさらに備える、請求項７に記載の方法。
【請求項９】
前記ＵＥが、前記ＵＥ上で動作可能な少なくとも１つのユーザアプリケーションから入手可能なアプリケーション情報を決定することをさらに備え、ここで、前記少なくとも１つのユーザアプリケーションは、マッピング、カレンダー、および視覚認識アプリケーションのうちの少なくとも１つを備え、
前記ＵＥ環境ステータス情報は、前記アプリケーション情報に少なくとも部分的に基づいてさらに決定される、請求項１に記載の方法。
【請求項１０】
前記ＵＥ環境ステータス情報を前記決定することは、
ＵＥ環境ステータスの予め定められたセットから前記ＵＥ環境ステータス情報を選択することを備え、ここで、前記選択することは、前記少なくとも１つの非ＲＦセンサーからの前記入力に基づく、請求項１に記載の方法。
【請求項１１】
ネットワークエンティティが、関連するユーザ機器（ＵＥ）から制御メッセージを受信することと、ここで、前記制御メッセージは、関連するＵＥ中にあり、前記ネットワークエンティティとの無線通信のために使用される前記関連するＵＥの受信機とは別個である、少なくとも１つの非無線周波数（非ＲＦ）センサーからの入力に基づくＵＥ環境ステータス情報を備え、前記ＵＥステータス情報は、
車内ステータス、
屋外ステータス、
屋内ステータス、
移動中ステータス、
仕事場ステータス、
自宅ステータス、
データトラフィックの量、および
前記ＵＥのディスプレイスクリーンがオンであるのかオフであるのか、前記ＵＥがホルスター中にあるのか、アクティブに使用されているのか、ポケットの中にあるのか、充電器に接続されているのかを示すＵＥ状態
のうちの１つまたは複数を備え、
前記ＵＥ環境ステータス情報に少なくとも部分的に基づいて、前記関連するＵＥの接続を管理することと、
を備え、ここで、前記接続を管理することは、
前記関連するＵＥのデータトラフィックを前記ネットワークエンティティから第１の基地局にオフロードすべきかどうかを決定することと、
前記関連するＵＥが前記第１の基地局のカバレージエリア内にあるとき、前記関連するＵＥとの接続を維持すべきかどうかを決定することと、
前記関連するＵＥのためのページングエリアを決定することと、
前記関連するＵＥに、どのくらいの頻度で、ページングのために登録するよう要求するかを決定することと、
前記関連するＵＥのための間欠受信設定を決定することと、
のうちの１つを備える、ワイヤレス通信の方法。
【請求項１２】
ユーザ機器（ＵＥ）が、前記ＵＥ中にある少なくとも１つの非無線周波数（非ＲＦ）センサーからの入力に基づいてＵＥ環境ステータス情報を決定するための手段と、ここで、前記少なくとも１つの非ＲＦセンサーは、情報を確認することが可能であり、基地局との無線通信のために使用される前記ＵＥの受信機とは別個であり、前記ＵＥ環境ステータス情報は、
車内ステータス、
屋外ステータス、
屋内ステータス、
移動中ステータス、
仕事場ステータス、
自宅ステータス、
データトラフィックの量、および
前記ＵＥのディスプレイスクリーンがオンであるのかオフであるのか、前記ＵＥがホルスター中にあるのか、アクティブに使用されているのか、ポケットの中にあるのか、充電器に接続されているのかを示すＵＥ状態
のうちの１つまたは複数を備え、
前記ＵＥ環境ステータス情報を備える制御メッセージを生成するための手段と、
前記ＵＥと通信している前記基地局に前記制御メッセージを送信するための手段と
を備える、ワイヤレス通信のために構成された装置。
【請求項１３】
決定するための前記手段は、前記制御メッセージを生成するための前記手段、および送信するための前記手段は、少なくとも１つのプロセッサと、前記少なくとも１つのプロセッサに結合されたメモリとによって提供される、請求項１２に記載の装置。
【請求項１４】
ネットワークエンティティが、関連するユーザ機器（ＵＥ）から制御メッセージを受信するための手段と、ここで、前記制御メッセージは、関連するＵＥ中にあり、前記ネットワークエンティティとの無線通信のために使用される関連するＵＥの受信機とは別個である、少なくとも１つの非無線周波数（非ＲＦ）センサーからの入力に基づくＵＥ環境ステータス情報を備え、前記ＵＥ環境ステータス情報は、
車内ステータス、
屋外ステータス、
屋内ステータス、
移動中ステータス、
仕事場ステータス、
自宅ステータス、
データトラフィックの量、および
前記ＵＥのディスプレイスクリーンがオンであるのかオフであるのか、前記ＵＥがホルスター中にあるのか、アクティブに使用されているのか、ポケットの中にあるのか、充電器に接続されているのかを示すＵＥ状態
のうちの１つまたは複数を備え、
前記ＵＥ環境ステータス情報に少なくとも部分的に基づいて、前記関連するＵＥの接続を管理するための手段と、
を備え、ここで、前記接続を管理することは、
前記関連するＵＥのデータトラフィックを前記ネットワークエンティティから第１の基地局にオフロードすべきかどうかを決定することと、
前記関連するＵＥが前記第１の基地局のカバレージエリア内にあるとき、前記関連するＵＥとの接続を維持すべきかどうかを決定することと、
前記関連するＵＥのためのページングエリアを決定することと、
前記関連するＵＥに、どのくらいの頻度で、ページングのために登録するよう要求するかを決定することと、
前記関連するＵＥのための間欠受信設定を決定することと、
のうちの１つを備える、ワイヤレス通信のシステム。
【請求項１５】
請求項１−１０または１１のうちのいずれか一項に記載の方法のすべてのステップを実装するためにコンピュータ実行可能であるプログラム命令を備えるコンピュータプログラム。
【手続補正２】
【補正対象書類名】明細書
【補正対象項目名】００９９
【補正方法】変更
【補正の内容】
【００９９】
[00108]本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に本願発明の当初の特許請求の範囲に記載された発明を付記する。
［Ｃ１］
ユーザ機器（ＵＥ）が、前記ＵＥ中にある少なくとも１つの非無線周波数（ＲＦ）センサーからの入力に基づいてＵＥ環境ステータス情報を決定することと、
前記ＵＥ環境ステータス情報を備える制御メッセージを生成することと、
前記ＵＥと通信している基地局に前記制御メッセージを送信することと、ここで、前記制御メッセージは、関連するワイヤレス通信ネットワークによって前記ＵＥとの接続を管理することに関係する、
を備える、ワイヤレス通信の方法。
［Ｃ２］
前記制御メッセージは無線リソース制御（ＲＲＣ）メッセージを備える、Ｃ１に記載の方法。
［Ｃ３］
前記制御メッセージは、前記ＲＲＣメッセージ中にカプセル化された非アクセス層（ＮＡＳ）メッセージを備える、Ｃ２に記載の方法。
［Ｃ４］
前記ＮＡＳメッセージは、前記ワイヤレス通信ネットワークのネットワークエンティティを対象とするサービス要求、アタッチ、トラッキングエリア更新、ルーティングエリア更新、ロケーションエリア更新のうちの１つを備える、Ｃ３に記載の方法。
［Ｃ５］
前記ネットワークエンティティは、
モビリティ管理エンティティ（ＭＭＥ）、および
サービング汎用パケット無線サービス（ＧＰＲＳ）サービスノード（ＳＧＳＮ）のうちの１つを備える、Ｃ４に記載の方法。
［Ｃ６］
前記ＵＥ環境ステータス情報は前記ＵＥのモビリティレベルに関係する、Ｃ１に記載の方法。
［Ｃ７］
前記ＵＥ環境ステータス情報は前記モビリティレベルについての推定持続時間を備える、Ｃ６に記載の方法。
［Ｃ８］
前記少なくとも１つの非ＲＦセンサーは、
加速度計、
ジャイロスコープ、
全地球測位システム（ＧＰＳ）受信機、
温度計、
カメラ、
マイクロフォン、
高度計、
心拍数モニタ、
湿度検出器、
光検出器、
充電インジケータ、および
気圧計を備えるグループから選択される、Ｃ１に記載の方法。
［Ｃ９］
前記送信することは、
前記ＵＥ環境ステータス情報に関連するタイマーの満了、
前記ＵＥによる前記基地局への接続確立、および
前記ＵＥ環境ステータス情報の変化を検出することのうちの１つまたは複数に応答して実行される、Ｃ１に記載の方法。
［Ｃ１０］
前記変化は、前の制御メッセージを送信してから所定の時間期間内に検出されたとき、前記送信することを遅延させること、
をさらに備える、Ｃ９に記載の方法。
［Ｃ１１］
前記ＵＥが、前記ＵＥ上で動作可能な少なくとも１つのユーザアプリケーションから入手可能なアプリケーション情報を決定することをさらに備え、
前記ＵＥ環境ステータス情報は、前記アプリケーション情報に少なくとも部分的に基づいてさらに決定される、Ｃ１に記載の方法。
［Ｃ１２］
前記ＵＥ環境ステータス情報を前記決定することは、
ＵＥ環境ステータスの予め定められたセットから前記ＵＥ環境ステータス情報を選択することを備え、ここで、前記選択することは、前記少なくとも１つの非ＲＦセンサーからの前記入力に基づく、Ｃ１に記載の方法。
［Ｃ１３］
ＵＥ環境ステータスの前記予め定められたセットは、
車内ステータス、
屋外ステータス、および
屋内ステータスのうちの２つまたはそれ以上を備える、Ｃ１２に記載の方法。
［Ｃ１４］
ＵＥ環境ステータスの前記予め定められたセットは、
移動中ステータス、
仕事場ステータス、
自宅ステータス、
データトラフィックの量、および
ＵＥ状態のうちの少なくとも１つをさらに備える、Ｃ１３に記載の方法。
［Ｃ１５］
前記接続が、前記ＵＥ環境ステータス情報の少なくとも部分的に基づいて管理されるとき、前記ワイヤレスネットワークとの前記接続を維持すること、
をさらに備える、Ｃ１に記載の方法。
［Ｃ１６］
前記基地局から、前記ＵＥ環境ステータス情報に少なくとも部分的に基づく、スモールセル基地局にハンドオーバするためのハンドオーバ命令を受信すること、
前記基地局から、前記ＵＥ環境ステータス情報に少なくとも部分的に基づく、前記基地局との接続を維持しながら第２の基地局にデータトラフィックをオフロードするための命令を受信すること、
前記基地局から、前記ＵＥ環境ステータス情報に少なくとも部分的に基づく、前記ＵＥのためのページングエリアを定義するページングエリアパラメータを受信すること、
前記基地局から、前記ＵＥ環境ステータス情報に少なくとも部分的に基づく、登録タイミングを受信すること、ここで、前記登録タイミングは、前記ＵＥが関連するネットワークに登録する頻度を定義する、および
前記基地局から、前記ＵＥ環境ステータス情報に少なくとも部分的に基づく、間欠受信のためのパラメータを受信すること、
のうちの１つをさらに備える、Ｃ１５に記載の方法。
［Ｃ１７］
前記第２の基地局は、ワイヤレスローカルエリアネットワーク（ＷＬＡＮ）基地局、スモールセル基地局、またはそれらの組合せ、のうちの１つを備える、Ｃ１６に記載の方法。
［Ｃ１８］
ネットワークエンティティが、関連するユーザ機器（ＵＥ）から制御メッセージを受信することと、ここで、前記制御メッセージは、関連するＵＥ中にある少なくとも１つの非無線周波数（ＲＦ）センサーからの入力に基づくＵＥ環境ステータス情報を備え、
前記ＵＥ環境ステータス情報に少なくとも部分的に基づいて、前記関連するＵＥの接続を管理することと、
を備える、ワイヤレス通信の方法。
［Ｃ１９］
前記ＵＥ環境ステータス情報に少なくとも部分的に基づいて、前記接続に適用可能なネットワークポリシーを決定すること、
をさらに備える、Ｃ１８に記載の方法。
［Ｃ２０］
前記受信することは、
前記ＵＥ環境ステータス情報に関連するタイマーの満了、
前記関連するＵＥによる前記ネットワークエンティティへの接続確立、および
前記関連するＵＥによる前記ＵＥ環境ステータス情報の更新のうちの１つまたは複数に応答する、Ｃ１８に記載の方法。
［Ｃ２１］
前記接続を管理することは、
前記関連するＵＥのデータトラフィックを前記ネットワークエンティティから第１の基地局にオフロードすべきかどうかを決定することと、
前記関連するＵＥが前記第１の基地局のカバレージエリア内にあるとき、前記関連するＵＥとの接続を維持すべきかどうかを決定することと、
前記関連するＵＥを前記第１の基地局にハンドオーバすべきかどうかを決定することと、
前記関連するＵＥとの接続を維持し、前記第１の基地局を通してデータトラフィックを送信するように前記関連するＵＥに指示すべきかどうかを決定することと、
前記関連するＵＥのためのページングエリアを決定することと、
前記関連するＵＥに、どのくらいの頻度で、ページングのために登録するよう要求するかを決定することと、
前記関連するＵＥのための間欠受信設定を決定することと、
のうちの１つまたは複数を備え、前記方法は、
前記決定することに応答して、前記関連するＵＥに接続管理信号を送信することをさらに備える、Ｃ１８に記載の方法。
［Ｃ２２］
前記第１の基地局は、ワイヤレスローカルエリアネットワーク（ＷＬＡＮ）基地局、スモールセル基地局、またはそれらの組合せ、のうちの１つを備える、Ｃ２１に記載の方法。
［Ｃ２３］
前記ＵＥ環境ステータス情報は、
車内ステータス、
屋外ステータス、および
屋内ステータスのうちの２つまたはそれ以上を備える、Ｃ１８に記載の方法。
［Ｃ２４］
前記ＵＥ環境ステータス情報は、
移動中ステータス、
仕事場ステータス、
自宅ステータス、
データトラフィックの量、および
ＵＥ状態のうちの１つまたは複数をさらに備える、Ｃ２３に記載の方法。
［Ｃ２５］
前記ＵＥ環境ステータス情報は、
無線リソース制御（ＲＲＣ）メッセージ、および
非アクセス層（ＮＡＳ）メッセージのうちの１つを介して受信され、
前記ネットワークエンティティは、
基地局、
モビリティ管理エンティティ（ＭＭＥ）、および
サービング汎用パケット無線サービス（ＧＰＲＳ）サービスノード（ＳＧＳＮ）のうちの１つを備える、Ｃ１８に記載の方法。
［Ｃ２６］
前記ネットワークエンティティは第２の基地局を備え、前記ＵＥ環境ステータス情報は前記ＲＲＣメッセージを介して受信され、前記方法は、
前記ＵＥ環境ステータス情報を、前記第２の基地局に関連する前記ＭＭＥおよび前記ＳＧＳＮのうちの１つに送信すること、
をさらに備える、Ｃ２５に記載の方法。
［Ｃ２７］
前記ネットワークエンティティは前記ＭＭＥおよび前記ＳＧＳＮのうちの１つを備え、前記ＵＥ環境ステータス情報は前記ＮＡＳメッセージを介して受信され、前記方法は、
前記ＵＥ環境ステータス情報を、前記関連するＵＥに関連する前記第２の基地局に送信すること、をさらに備える、Ｃ２５に記載の方法。
［Ｃ２８］
前記ＵＥ環境ステータス情報は、前記ＵＥの少なくとも１つのユーザアプリケーションから入手可能なアプリケーション情報にさらに基づく、Ｃ１８に記載の方法。
［Ｃ２９］
前記ＵＥ環境ステータス情報は推定持続時間を備える、Ｃ１８に記載の方法。
［Ｃ３０］
ユーザ機器（ＵＥ）が、前記ＵＥ中にある少なくとも１つの非無線周波数（ＲＦ）センサーからの入力に基づいてＵＥ環境ステータス情報を決定するための手段と、
前記ＵＥ環境ステータス情報を備える制御メッセージを生成するための手段と、
前記ＵＥと通信している基地局に前記制御メッセージを送信するための手段と、ここで、前記制御メッセージは、関連するワイヤレス通信ネットワークによって前記ＵＥとの接続を管理することに関係する、
を備える、ワイヤレス通信のシステム。
［Ｃ３１］
ネットワークエンティティが、関連するユーザ機器（ＵＥ）から制御メッセージを受信するための手段と、ここで、前記制御メッセージは、関連するＵＥ中にある少なくとも１つの非無線周波数（ＲＦ）センサーからの入力に基づくＵＥ環境ステータス情報を備え、
前記ＵＥ環境ステータス情報に少なくとも部分的に基づいて、前記関連するＵＥの接続を管理するための手段と、
を備える、ワイヤレス通信のシステム。
［Ｃ３２］
ワイヤレスネットワークにおけるワイヤレス通信のためのコンピュータプログラム製品であって、
プログラムコードを記録した非一時的コンピュータ可読媒体を備え、前記プログラムコードは、
ユーザ機器（ＵＥ）が、前記ＵＥ中にある少なくとも１つの非無線周波数（ＲＦ）センサーからの入力に基づいてＵＥ環境ステータス情報を決定するためのプログラムコードと、
前記ＵＥ環境ステータス情報を備える制御メッセージを生成するためのプログラムコードと、
前記ＵＥと通信している基地局に前記制御メッセージを送信するためのプログラムコードと、ここで、前記制御メッセージは、関連するワイヤレス通信ネットワークによって前記ＵＥとの接続を管理することに関係する、
を含む、コンピュータプログラム製品。
［Ｃ３３］
ワイヤレスネットワークにおけるワイヤレス通信のためのコンピュータプログラム製品であって、
プログラムコードを記録した非一時的コンピュータ可読媒体を備え、前記プログラムコードは、
ネットワークエンティティが、関連するユーザ機器（ＵＥ）から制御メッセージを受信するためのプログラムコードと、ここで、前記制御メッセージは、関連するＵＥ中にある少なくとも１つの非無線周波数（ＲＦ）センサーからの入力に基づくＵＥ環境ステータス情報を備える、
前記ＵＥ環境ステータス情報に少なくとも部分的に基づいて、前記関連するＵＥの接続を管理するためのプログラムコードと、
を含む、コンピュータプログラム製品。
［Ｃ３４］
少なくとも１つのプロセッサと、
前記少なくとも１つのプロセッサに結合されたメモリとを備える、ワイヤレス通信のために構成された装置であって、
前記少なくとも１つのプロセッサは、
ユーザ機器（ＵＥ）が、前記ＵＥ中にある少なくとも１つの非無線周波数（ＲＦ）センサーからの入力に基づいてＵＥ環境ステータス情報を決定することと、
前記ＵＥ環境ステータス情報を備える制御メッセージを生成することと、
前記ＵＥと通信している第１の基地局に前記制御メッセージを送信することと、ここで、前記制御メッセージは、関連するワイヤレス通信ネットワークによって前記ＵＥとの接続を管理することに関係する、
を行うように構成された、装置。
［Ｃ３５］
前記制御メッセージは無線リソース制御（ＲＲＣ）メッセージを備える、Ｃ３４に記載の装置。
［Ｃ３６］
前記制御メッセージは、前記ＲＲＣメッセージ中にカプセル化された非アクセス層（ＮＡＳ）メッセージを備える、Ｃ３５に記載の装置。
［Ｃ３７］
前記ＮＡＳメッセージは、前記ワイヤレス通信ネットワークのネットワークエンティティを対象とするサービス要求、アタッチ、トラッキングエリア更新、ルーティングエリア更新、ロケーションエリア更新のうちの１つを備える、Ｃ３６に記載の装置。
［Ｃ３８］
前記ネットワークエンティティは、
モビリティ管理エンティティ（ＭＭＥ）、および
サービング汎用パケット無線サービス（ＧＰＲＳ）サービスノード（ＳＧＳＮ）のうちの１つを備える、Ｃ３７に記載の装置。
［Ｃ３９］
前記ＵＥ環境ステータス情報は前記ＵＥのモビリティレベルに関係する、Ｃ３４に記載の装置。
［Ｃ４０］
前記ＵＥ環境ステータス情報は前記モビリティレベルについての推定持続時間を備える、Ｃ３９に記載の装置。
［Ｃ４１］
前記少なくとも１つの非ＲＦセンサーは、
加速度計、
ジャイロスコープ、
全地球測位システム（ＧＰＳ）受信機、
温度計、
カメラ、
マイクロフォン、
高度計、
心拍数モニタ、
湿度検出器、
光検出器、
充電インジケータ、および
気圧計を備えるグループから選択される、Ｃ３４に記載の装置。
［Ｃ４２］
送信するための前記少なくとも１つのプロセッサの前記構成は、
前記ＵＥ環境ステータス情報に関連するタイマーの満了、
前記ＵＥによる前記第１の基地局への接続確立、および
前記ＵＥ環境ステータス情報の変化を検出すること、
のうちの１つまたは複数に応答して実行される、Ｃ３４に記載の装置。
［Ｃ４３］
前記少なくとも１つのプロセッサは、
前記変化が、前の制御メッセージを送信してから所定の時間期間内に検出されたとき、前記送信することを遅延させるようにさらに構成された、Ｃ４２に記載の装置。
［Ｃ４４］
前記少なくとも１つのプロセッサは、
前記ＵＥが、前記ＵＥ上で動作可能な少なくとも１つのユーザアプリケーションから入手可能なアプリケーション情報を決定するようにさらに構成され、
前記ＵＥ環境ステータス情報は、前記アプリケーション情報に少なくとも部分的に基づいてさらに決定される、Ｃ３４に記載の装置。
［Ｃ４５］
前記ＵＥ環境ステータス情報を決定するための前記少なくとも１つのプロセッサの前記構成は、
ＵＥ環境ステータスの予め定められたセットから前記ＵＥ環境ステータス情報を選択するための構成を備え、ここで、前記選択は、前記少なくとも１つの非ＲＦセンサーからの前記入力に基づく、Ｃ３４に記載の装置。
［Ｃ４６］
ＵＥ環境ステータスの前記予め定められたセットは、
車内ステータス、
屋外ステータス、および
屋内ステータス
のうちの２つまたはそれ以上を備える、Ｃ４５に記載の装置。
［Ｃ４７］
ＵＥ環境ステータスの前記予め定められたセットは、
移動中ステータス、
仕事場ステータス、
自宅ステータス、
データトラフィックの量、および
ＵＥ状態
のうちの少なくとも１つをさらに備える、Ｃ４６に記載の装置。
［Ｃ４８］
前記少なくとも１つのプロセッサは、
前記接続が、前記ＵＥ環境ステータス情報の少なくとも部分的に基づいて前記ワイヤレス通信ネットワークによって管理されるとき、前記接続を維持するようにさらに構成された、Ｃ３４に記載の装置。
［Ｃ４９］
前記少なくとも１つのプロセッサは、
前記第１の基地局から、前記ＵＥ環境ステータス情報に少なくとも部分的に基づく、第２の基地局にハンドオーバするためのハンドオーバ命令を受信すること、
前記第１の基地局から、前記ＵＥ環境ステータス情報に少なくとも部分的に基づく、前記第１の基地局との接続を維持しながら前記第２の基地局にデータトラフィックをオフロードするための命令を受信すること、
前記第１の基地局から、前記ＵＥ環境ステータス情報に少なくとも部分的に基づく、前記ＵＥのためのページングエリアを定義するページングエリアパラメータを受信すること、
前記第１の基地局から、前記ＵＥ環境ステータス情報に少なくとも部分的に基づく、登録タイミングを受信すること、ここで、前記登録タイミングは、前記ＵＥが関連するネットワークに登録する頻度を定義する、および
前記第１の基地局から、前記ＵＥ環境ステータス情報に少なくとも部分的に基づく、間欠受信のためのパラメータを受信すること、
のうちの１つを行うようにさらに構成された、Ｃ４８に記載の装置。
［Ｃ５０］
前記第２の基地局は、ワイヤレスローカルエリアネットワーク（ＷＬＡＮ）基地局、スモールセル基地局、またはそれらの組合せ、のうちの１つを備える、Ｃ４９に記載の装置。
［Ｃ５１］
少なくとも１つのプロセッサと、
前記少なくとも１つのプロセッサに結合されたメモリと、
を備える、ワイヤレス通信のために構成された装置であって、
前記少なくとも１つのプロセッサは、
ネットワークエンティティが、関連するユーザ機器（ＵＥ）から制御メッセージを受信することと、ここで、前記制御メッセージは、関連するＵＥ中にある少なくとも１つの非無線周波数（ＲＦ）センサーからの入力に基づくＵＥ環境ステータス情報を備え、
前記ＵＥ環境ステータス情報に少なくとも部分的に基づいて、前記関連するＵＥの接続を管理することと、
を行うように構成された、装置。
［Ｃ５２］
前記少なくとも１つのプロセッサは、
前記ＵＥ環境ステータス情報に少なくとも部分的に基づいて、前記接続に適用可能なネットワークポリシーを決定するようにさらに構成された、Ｃ５１に記載の装置。
［Ｃ５３］
受信するための前記少なくとも１つのプロセッサの前記構成は、
前記ＵＥ環境ステータス情報に関連するタイマーの満了、
前記関連するＵＥによる前記ネットワークエンティティへの接続確立、および
前記関連するＵＥによる前記ＵＥ環境ステータス情報の更新
のうちの１つまたは複数に応答する、Ｃ５１に記載の装置。
［Ｃ５４］
前記接続を管理するための前記少なくとも１つのプロセッサの構成は、
前記関連するＵＥのデータトラフィックを前記ネットワークエンティティから第２の基地局にオフロードすべきかどうかを決定することと、
前記関連するＵＥが前記第２の基地局のカバレージエリア内にあるとき、前記関連するＵＥとの接続を維持すべきかどうかを決定することと、
前記関連するＵＥを前記第２の基地局にハンドオーバすべきかどうかを決定することと、
前記関連するＵＥとの接続を維持し、前記第２の基地局を通してデータトラフィックを送信するように前記関連するＵＥに指示すべきかどうかを決定することと、
前記関連するＵＥのためのページングエリアを決定することと、
前記関連するＵＥに、どのくらいの頻度で、ページングのために登録するよう要求するかを決定することと、
前記関連するＵＥのための間欠受信設定を決定することと、
のうちの１つまたは複数のための構成を備え、ここにおいて、前記少なくとも１つのプロセッサは、
前記決定に応答して、前記関連するＵＥに接続管理信号を送信するようにさらに構成された、Ｃ５１に記載の装置。
［Ｃ５５］
前記第２の基地局は、ワイヤレスローカルエリアネットワーク（ＷＬＡＮ）基地局、スモールセル基地局、またはそれらの組合せ、のうちの１つを備える、Ｃ５４に記載の装置。
［Ｃ５６］
前記ＵＥ環境ステータス情報は、
車内ステータス、
屋外ステータス、および
屋内ステータスのうちの２つまたはそれ以上を備える、Ｃ５１に記載の装置。
［Ｃ５７］
前記ＵＥ環境ステータス情報は、
移動中ステータス、
仕事場ステータス、
自宅ステータス、
データトラフィックの量、および
ＵＥ状態
のうちの１つまたは複数をさらに備える、Ｃ５６に記載の装置。
［Ｃ５８］
前記ＵＥ環境ステータス情報は、
無線リソース制御（ＲＲＣ）メッセージ、および
非アクセス層（ＮＡＳ）メッセージのうちの１つを介して受信され、
前記ネットワークエンティティは、
基地局、
モビリティ管理エンティティ（ＭＭＥ）、および
サービング汎用パケット無線サービス（ＧＰＲＳ）サービスノード（ＳＧＳＮ）のうちの１つを備える、Ｃ５１に記載の装置。
［Ｃ５９］
前記ネットワークエンティティは第１の基地局を備え、前記ＵＥ環境ステータス情報は前記ＲＲＣメッセージを介して受信され、前記少なくとも１つのプロセッサは、
前記ＵＥ環境ステータス情報を、前記第１の基地局に関連する前記ＭＭＥおよび前記ＳＧＳＮのうちの１つに送信するようにさらに構成された、Ｃ５８に記載の装置。
［Ｃ６０］
前記ネットワークエンティティは前記ＭＭＥおよび前記ＳＧＳＮのうちの１つを備え、前記ＵＥ環境ステータス情報は前記ＮＡＳメッセージを介して受信され、前記少なくとも１つのプロセッサは、
前記ＵＥ環境ステータス情報を、前記関連するＵＥに関連する前記基地局に送信するようにさらに構成された、Ｃ５８に記載の装置。
［Ｃ６１］
前記ＵＥ環境ステータス情報は、前記ＵＥの少なくとも１つのユーザアプリケーションから入手可能なアプリケーション情報にさらに基づく、Ｃ５１に記載の装置。
［Ｃ６２］
前記ＵＥ環境ステータス情報は推定持続時間を備える、Ｃ５１に記載の装置。